(57)【要約】【課題】  ペンチ、レンチ、鋸、ドライバー等の手持ち工具類、或いは釘、金具類を収納する腰バッグの主収納部は、頻繁に出し入れされることが多いためその開口は常時開放されていることが多い。また出し入れの際に目視しないことも多い。従って、作業中或いは工具その他の出し入れの際に工具等の落下・抜落の危険性があった。【解決手段】  腰から吊り下げるバッグであって、その主収納部の開口部は巾と奥行きを保持するだけの剛性を有して常時開口しており、且つ該開口部の、吊り下げ時体躯前方に位置する側の高さが、他方側の高さから徐々に高く構成されている。 【選択図】  図１
2008301863.tif 000002
【特許請求の範囲】
【請求項１】
腰から吊り下げるバッグであって、その主収納部の開口部は巾と奥行きを保持するだけの剛性を有して常時開口しており、且つ該開口部の、吊り下げ時体躯前方に位置する側の高さが、他方側の高さから徐々に高く構成されているものであることを特徴とする腰バッグ。
【請求項２】
該主収納部の左右の上端部同士を結ぶ線が、水平から１０度以上傾斜しているものである請求項１記載の腰バッグ。
【発明の詳細な説明】
【技術分野】
【０００１】
本発明は、ペンチ、ラチェットレンチ、ハンマー、鋸、ドライバー等の手持ち工具類、或いは釘、金具類を収納する腰バッグの構造に関するものである。
【背景技術】
【０００２】
こうした腰バッグは、型枠大工、一般大工、鳶、内装工事、鉄筋工、等々に従事する作業者が、その作業中常時腰に吊り下げて用いるものであり、それぞれの作業内容に即して専用品化したものも多い。しかし基本的に、高所であったり、狭いところであったり、とその作業環境は劣悪であることも多く、「安全性」と「収納物の出し入れの容易性」の双方を高いレベルで確保するのは困難である。例えば収納物の抜落に関して言えば、安全上の観点からすればファスナー部材その他によって開口部分を常時は閉じておき、取りだし時のみ開放するという手法が万全であるが、狭隘な現場で、迅速な作業遂行を強いられつつ作業する作業者が、そのような構造のバッグを選択することはない。
【０００３】
即ち、蓋を開け閉めするような手間どころか、収納箇所を目視すらせず、作業箇所のみを凝視し手探りで工具等の出し入れをするという場合も少なくない。つまり、収納部の開口部が自身の形状を保持すべく剛性のある部材で形成された、言わば常に大きな口を開けた状態となっているものが好まれる傾向にあるとは言えるが、そこには蓋という構造が存在する余地はない。従ってこうしたプロ用腰バッグに求められる上記「安全性と収納物の出し入れの容易性の確保」とは、換言すれば、「大きく設計された開口部の開放状態をいささかも損なうことなく、収納物の落下・抜落の危険性をいかに減少させてゆくか」、ということであり、そこには極めて高度な設計理念が求められることとなる。
【０００４】
プロ用腰バッグの構造には使用状況に従い種々のものがある。しかし上述したように、開放状態が保持された（即ち、開きっぱなしの）大きな主収納部を有するという点に関しては共通している。材質としては、天然又は人造の皮革を用いたり、ナイロン系或いは帆布系の素材を、そのまま或いは芯材を伴って用いたりする。また、主収納部の前面部或いは側面部には、小ポケットその他の収納・装着部を配している例も多い。
【発明の開示】
【発明が解決しようとする課題】
【０００５】
ところが現実には、プロ用腰バッグに求められる上記「安全性と収納物の出し入れの容易性の確保」は、好適には達成されていないと言える。即ち、ペンチやレンチ等の長尺物を収納する場合における安全性（落下防止機能）を備えるために、「収納ゾーンを深くする」、という対処法しか採られていないのが現状であった。収納ゾーンを単純に深くしてしまうという、出し入れの不便さに直結する構造は、作業者にとってみれば許容しがたいことであった。しかし、収納物の落下・抜落は、例えば高所作業中にあっては死亡事故の原因ともなりかねず、何としても防止されていなければならない。
【特許文献１】特開２００５−３４２２０８
【課題を解決するための手段】
【０００６】
以上のような現状に鑑み本発明者は、収納物の落下・抜落の防止能力を高めながらも機能性は微塵も損なわない腰バッグを求め、長年鋭意研究の結果遂に本発明を成したものであり、その特徴とするところは、腰から吊り下げるバッグであって、その主収納部の開口部は巾と奥行きを保持するだけの剛性を有して常時開口しており、且つ該開口部の、吊り下げ時体躯前方に位置する側の高さが、他方側の高さから徐々に高く構成されている点にある。
【０００７】
作業現場において、腰から吊り下げられているバッグは、作業姿勢に追従して水平になったり傾いたりするわけであるが、本発明者が実際に調査研究した結果、作業者の姿勢というものは「直立姿勢」と「前傾姿勢」とを交互に繰り返すことが基本であり、体躯後方側に上体を傾けるということはほとんどないことが判った。加えて、収納物の落下する状況は、直立姿勢時ではなく前傾姿勢に移行する際とその前傾姿勢を保って作業している時に集中していることも判った。従って、腰バッグに関しても身体を前傾させるとき、或いはその前傾姿勢を保持しているときに、収納物が落下しないようにすれば初期の目的は達成できるということになる。そこで、最も使用頻度が高く収納容積も大きい「主収納部」の開口が、ここに収納物を差し込む時の体躯前方側を徐々に高く設定することを提案したのが本発明である。そして種々実験した結果、主収納部の左右上端の高さの差は、傾斜角度で言えば「１０度」を超え、且つ概ね「４０度」に満たない大きさであるとき本発明の目的が好適にかなえられることも導き出した。なお「徐々に高くなる」とは、基準となる例えば左端部分から右端側に向かって直線的な傾斜を基本とするものではあるが、徐々に高くなるというイメージであれば曲線で形成しても良いということを意味している。
【０００８】
また、主収納部開口から収納物を差し込む時の体躯前方側（例えば腰右側に吊り下げる場合であれば右端）を徐々に高く設定するということは、開口部天面が傾斜することを意味しているので、使用に際しては、作業者の出し入れしやすい方向に傾斜していることになっていると言える。従来の開口部天面が水平な主収納部の場合、開口方向は鉛直方向であるため、現実には手関節をやや窮屈に曲げて収納しているのが現状であった。現場作業者にとって、日々多数回繰り返される動作が窮屈さを伴っていることは、当然ながら好ましいとは言えない。この点についても本発明は解消されている。つまり、工具類その他を出し入れしやすい方向に開口部が大きく設けられることとなるので、不完全な収納により工具等が安定を欠き、それによって抜落するという危険性も軽減することとなる。
【０００９】
ここで「主収納部」とは、収納部の中で最大容積の部分を指すが、収納部を一つしか持たない構造であっても本発明に含まれるものとする。本発明バッグにおいて主収納部の開口部は、巾と奥行きを保持するだけの剛性を有している。この場合の剛性は、自重で開口部が閉じてしまうことがないだけの保形力を有しているという意味であって、外力によって変形することがない、という意味ではない。この剛性は基本的には、皮革や芯材付きナイロン系布材によって本体を構成することで得られるが、更に「マチ（襠）付き」構造とすればより好適である。特殊な例としては、開口部分のみを剛性の大きい素材で構成し、他の収納部分は帆布など剛性の低い材質のもので形成しても良い。
【００１０】
また本発明バッグは、ベルト部分を具備するタイプの構造であっても良いが、吊持用ベルトに通して用いるようにしても、作業者のズボンベルトに掛けて吊り下げるようにしても良いものとする。或いは、ベルトを用いずに吊り下げる方法を採用することも妨げるものではない。
【００１１】
本発明バッグは、主収納部以外に収納部を有していても良いが、それら他の収納部に関しては構造についての限定はしない。従って、例えば開口を開閉するための構造を付帯していても良いものとする。この「開口を開閉するための構造」として、ボタンやファスナーによって留める蓋を設けた構造、巾着構造、等々があり得る。このような閉止構造を具備する収納部分には、携帯はすべきであるが頻繁に出し入れすることはない物品、或いは落としてしまうことが許されない物品等を入れることになる。
【発明の効果】
【００１２】
本発明に係る腰バッグは、腰から吊り下げるバッグであって、その主収納部の開口部は巾と奥行きを保持するだけの剛性を有して常時開口しており、且つ該開口部の、吊り下げ時体躯前方に位置する側の高さが、他方側の高さから徐々に高く構成されているものであるために、作業者が前傾姿勢をとって作業している時には、この高さのある部分が貢献して収納物の抜落を効果的に防止できることとなり、また傾斜する開口を有するのでその結果開口部分の長さが長くなり、収納物の出し入れが容易になる、等々の効果を有する極めて高度な発明である。
【発明を実施するための最良の形態】
【００１３】
以下図面に基づいて本発明をより詳細に説明する。
【実施例１】
【００１４】
図１及び図２は、本発明に係る腰バッグ１（以下「本発明バッグ１」という）の一例を示すものである。図より明らかなように本例の本発明バッグ１は、釘袋或いはネイルバッグと呼ばれるタイプのバッグであり、芯材を内包しこれによって剛性が付与されたナイロン系布よりなる板状材を主要材質としたものである。一枚の台板２の上端を裏面側に折り曲げてリベット留めすることで、ベルト通し２１を形成し、更に該台板２の前面にマチ３１を介して前面板３２を取り付けて、主収納部３が形成されている。
【００１５】
そして主収納部３の開口天面は傾斜している。主収納部３の底面はほぼ水平に設計されているので、右端側の収納部深さが左側よりも深くなっているとも言える。このような右端側の上端が高い構造は、腰の右側に吊り下げることを想定したものであり、左側に吊り下げる場合には左右対称の構造となる。
【００１６】
なお図示した例の本発明バッグ１は主収納部３以外に、大小幾つかの小ポケットを有しており、その中の一つは傾斜した開口を、他は水平の開口を有しているが、主収納部３以外の収納部の開口の形態に関しては本発明は限定しない。
【００１７】
次に図３は、作業者の姿勢によって本発明バッグ１がどうのように機能するのかを概略的に示したものである。なお図の例は右利きの人が腰右側に本発明バッグ１を吊り下げた上体を示したものである。既述したが作業者は、特殊な姿勢で作業する場合もあるが、基本的には（ａ）のような直立姿勢か、（ｂ）のような前傾姿勢か、のいずれかで作業することになる。工具等の出し入れは、右手を本発明バッグ１の主収納部３に差し込んで行うので、該主収納部３の左端側の高さが低い本発明バッグ１の場合、非常に出し入れのしやすい方向に開放されていると言える。そして、前傾姿勢を採る（ｂ）の場合もこの傾向は変わらないが、収納物の落下の危険性は極めて高度に改善されている。
【００１８】
ここまで本発明バッグ１を、芯材を内包しこれによって剛性が付与されたナイロン系布よりなる板状材を主要材質とした釘袋、を例に説明してきたが、本発明はこれに限らず、天然皮革（又は人造皮革）や帆布などを材質として形成しても良い（図示省略）。また、台板２の上端を裏面側に折り曲げてベルト通し２１を形成するという構造ではなく、図４（ａ）（ｂ）のように台板２の裏面側に別体のベルト通し部材４を固着するという形態で設けるようにしても良い。更に、主収納部３の天面についてもこれまで直平面的な構造のものとして説明してきたが、例えばデザイン上の要求があれば、図５の如く曲線的なものとして良いものとする。
【図面の簡単な説明】
【００１９】
【図１】本発明に係る腰バッグの一例を示す概略正面図である。
【図２】本発明に係る腰バッグの一例を示す概略側面図である。
【図３】（ａ）（ｂ）は、作業者の姿勢によって本発明に係る腰バッグがどうのように機能するのかを概略的に示したいずれも概略側面図である。
【図４】（ａ）（ｂ）は、本発明に係る腰バッグの、主としてベルト通し部についての他の例を示したものであり、（ａ）は概略正面図、（ｂ）は概略側面図である。
【図５】主収納部の天面の形状についての他の例を示した概略正面図である。
【符号の説明】
【００２０】
１    本発明に係る腰バッグ
２    台板
２１  ベルト通し
３    主収納部
３１  マチ
３２  前面板
４    ベルト通し部材
【図１】
2008301863.tif 000003
【図２】
2008301863.tif 000004
【図３】
2008301863.tif 000005
【図４】
2008301863.tif 000006
【図５】
2008301863.tif 000007